(57)【要約】【課題】管理サーバが管理する遊技情報を会員登録した遊技者所有の携帯端末に通信回線を経由して提供する情報提供システムにおいて、遊技者が希望する遊技情報を簡単に取得できるようにする。【解決手段】会員が所持する会員携帯媒体４００に備えられた固有識別情報が記憶されたＩＣタグ４０１を、遊技場１００に設置されたＩＣタグ読取装置１１０が無線で読み取り、その情報を管理サーバ（管理装置１２０）に送信する。さらに、管理サーバが、ＩＣタグ読取装置１１０により送信された固有識別情報に対応する会員登録情報を会員情報データベースから抽出して、その会員登録情報に含まれる希望遊技情報に対応する遊技情報を遊技情報データベースから抽出し、電子メールアドレスによって特定される携帯端末３００に送信するようにする。【選択図】図６
2008178580.tif 000002
【特許請求の範囲】
【請求項１】
遊技場に設置された遊技機から収集した遊技情報が記憶される遊技情報データベース及び会員登録した遊技者の会員登録情報が記憶される会員情報データベースを管理する管理サーバと、電子メールの受信及び受信した電子メールの表示が可能な前記遊技者所有の携帯端末と、を備え、
前記管理サーバが管理する遊技情報を前記会員登録した遊技者所有の前記携帯端末に通信回線を経由して提供する情報提供システムであって、
前記遊技者の会員登録時に発行又は配布され、固有識別情報が記憶されたＩＣタグを有する会員携帯媒体と、
前記管理サーバと通信可能に前記遊技場内に設置され、無線により遊技者の所持する会員携帯媒体のＩＣタグと通信し、該通信により読取ったＩＣタグの固有識別情報を前記管理サーバに送信するＩＣタグ読取装置と、を備え、
前記管理サーバは、
前記会員登録時に前記会員登録情報として、遊技者の希望する希望遊技情報と、当該遊技者所有の携帯端末の電子メールアドレスと、前記会員携帯媒体のＩＣタグの固有識別情報とを互いに対応させて前記会員情報データベースに登録する会員登録手段と、
前記ＩＣタグ読取装置により送信された前記固有識別情報に対応する前記会員登録情報を前記会員情報データベースから抽出する登録情報抽出手段と、
前記登録情報抽出手段により抽出された会員登録情報に含まれる前記希望遊技情報に対応する遊技情報を前記遊技情報データベースから抽出する遊技情報抽出手段と、
前記登録情報抽出手段により抽出された会員登録情報に含まれる前記電子メールアドレスによって特定される前記携帯端末に、前記遊技情報抽出手段により抽出された遊技情報を送信する遊技情報送信手段と、を備えることを特徴とする情報提供システム。
【請求項２】
前記会員登録情報に含まれる希望遊技情報は、遊技機の種類を特定するための種類特定情報であり、
前記遊技情報抽出手段は、
前記種類特定情報により特定される遊技機の遊技情報を抽出することを特徴とする請求項１に記載の情報提供システム。
【請求項３】
前記登録情報抽出手段は、
前記ＩＣタグ読取装置からの一の固有識別情報の受信により、当該固有識別情報を受信履歴情報として記憶する固有識別情報記憶手段と、
前記遊技者に再度の前記遊技情報を送信すべく、前記受信履歴情報として記憶された前記固有識別情報のうち予め定められた所定条件が成立した固有識別情報に対応する前記会員登録情報を前記会員情報データベースから抽出する登録情報再抽出手段を含むことを特徴とする請求項１又は２に記載の情報提供システム。
【請求項４】
前記ＩＣタグ読取装置は、前記遊技場の出入口に設置され、
前記固有識別情報記憶手段は、
前記受信履歴情報として記憶した前記固有識別情報と同一の固有識別情報を前記ＩＣタグ読取装置から受信することにより、当該受信履歴情報から受信した固有識別情報を消去する履歴消去手段を含むことを特徴とする請求項３に記載の情報提供システム。
【請求項５】
前記遊技場は、複数種類の遊技機が設置される複数の遊技コーナーにより構成され、
前記ＩＣタグ読取装置は、各遊技コーナーの出入口に各々設置され、
前記管理サーバは、前記遊技コーナー毎に設置されている遊技機の種類を記憶してなり、
各遊技コーナーに設置された前記ＩＣタグ読取装置から送信される前記固有識別情報に基づいて、遊技場内での遊技者の所在を特定する所在特定手段と、を備え、
前記固有識別情報記憶手段は、
前記所在特定手段により特定された遊技者の所在情報を、記憶してある前記固有識別情報に対応させて記憶し、
前記遊技情報抽出手段は、
前記所在情報と前記会員登録情報とに基づいて、前記所在情報から特定される遊技機の種類と前記種類特定情報とが一致しない場合に、前記遊技情報を抽出することを特徴とする請求項２から４の何れか一項に記載の情報提供システム。
【請求項６】
前記会員登録手段は、
前記希望遊技情報として複数種類の種類特定情報を登録可能であり、
前記遊技情報抽出手段は、
前記所在情報と前記会員登録情報とに基づいて、前記所在情報から特定される遊技機の種類と異なる前記種類特定情報が前記会員登録情報に含まれている場合には、当該異なる種類特定情報のみを抽出することを特徴とする請求項５に記載の情報提供システム。
【請求項７】
前記管理サーバは、前記会員登録した遊技者所有の携帯端末から通信回線を介してアクセス可能であり、
前記携帯端末からのアクセスと操作に基づいて、会員登録情報の変更を受付ける登録情報変更受付手段を備えていることを特徴とする請求項１から６の何れか一項に記載の情報提供システム。 
【発明の詳細な説明】
【技術分野】
【０００１】
本発明は、管理サーバが管理する遊技情報を会員登録した遊技者所有の携帯端末に通信回線を経由して提供する情報提供システムに関する。
【背景技術】
【０００２】
例えばパチンコホールなどの遊技店では、設置されている複数の遊技機の遊技に関する遊技情報を収集して管理しており、遊技者のニーズに応えるべく収集した遊技情報を遊技店内に設けた情報表示装置により提供していた（例えば、特許文献１参照）。また、遊技情報を得るためには、遊技店に出向かなければならないという不都合を回避するために、遊技者の所有する携帯端末（電話）からアクセス可能なサーバに遊技情報を記憶させておき、遊技者が携帯端末（電話）を操作することで所望の遊技店の遊技機に関する遊技情報を入手可能にした遊技情報提供システムも提案されている（例えば、特許文献２参照）。
【特許文献１】特開平９−８４９４８号公報
【特許文献２】特開２００２−８５７７７号公報
【発明の開示】
【発明が解決しようとする課題】
【０００３】
しかしながら、情報表示装置により遊技情報を取得する場合も、携帯端末（電話）により遊技情報を取得する場合も、遊技者が何らかの操作をすることが必要であり、遊技者からすれば面倒であった。また、携帯端末（電話）によりサーバにアクセスして遊技情報を取得する場合には、膨大なデータの中から所望する遊技情報を検索しなければならず、操作に慣れていない遊技者にとっては難しく、簡単に遊技情報を取得できるものではなかった。
【０００４】
本発明の目的は、管理サーバが管理する遊技情報を会員登録した遊技者所有の携帯端末に通信回線を経由して提供する情報提供システムにおいて、遊技者が希望する遊技情報を簡単に取得できるようにすることである。
【課題を解決するための手段】
【０００５】
以上の課題を解決するため、請求項１に記載の発明は、遊技場に設置された遊技機から収集した遊技情報が記憶される遊技情報データベース及び会員登録した遊技者の会員登録情報が記憶される会員情報データベースを管理する管理サーバと、電子メールの受信及び受信した電子メールの表示が可能な前記遊技者所有の携帯端末と、を備え、
前記管理サーバが管理する遊技情報を前記会員登録した遊技者所有の前記携帯端末に通信回線を経由して提供する情報提供システムであって、
前記遊技者の会員登録時に発行又は配布され、固有識別情報が記憶されたＩＣタグを有する会員携帯媒体と、
前記管理サーバと通信可能に前記遊技場内に設置され、無線により遊技者の所持する会員携帯媒体のＩＣタグと通信し、該通信により読取ったＩＣタグの固有識別情報を前記管理サーバに送信するＩＣタグ読取装置と、を備え、
前記管理サーバは、
前記会員登録時に前記会員登録情報として、遊技者の希望する希望遊技情報と、当該所有の携帯端末の電子メールアドレスと、前記会員携帯媒体のＩＣタグの固有識別情報とを互いに対応させて前記会員情報データベースに登録する会員登録手段と、
前記ＩＣタグ読取装置により送信された前記固有識別情報に対応する前記会員登録情報を前記会員情報データベースから抽出する登録情報抽出手段と、
前記登録情報抽出手段により抽出された会員登録情報に含まれる前記希望遊技情報に対応する遊技情報を前記遊技情報データベースから抽出する遊技情報抽出手段と、
前記登録情報抽出手段により抽出された会員登録情報に含まれる前記電子メールアドレスによって特定される前記携帯端末に、前記遊技情報抽出手段により抽出された遊技情報を送信する遊技情報送信手段と、を備えることを特徴とする。
【０００６】
ここで、「遊技機」は、例えば、パチンコ遊技機、アレンジボール遊技機、雀球遊技機、パチスロ遊技機などである。
また、「管理サーバ」としては、一般のパーソナルコンピュータやワークステーションなどを使用できる。
また「携帯端末」は、携帯電話、ＰＨＳ、ノート型のコンピュータ、ＰＤＡなどである。
また、「希望遊技情報」としては、例えば、遊技場に関する情報（開場時間、閉場時間、定休日、新機種の導入の通知、イベント開催の通知など）や、遊技機の機種ごとの情報（大当り回数、回転数など）、再プレイ可能な貯球数のような遊技に関する情報を希望することができる。
【０００７】
請求項１に記載の発明によれば、会員が所持する会員携帯媒体に備えられた固有識別情報が記憶されたＩＣタグを、遊技場に設置されたＩＣタグ読取装置が無線で読み取り、管理サーバが、ＩＣタグ読取装置から送信された固有識別情報に対応する会員登録情報を会員情報データベースから抽出して、その会員登録情報に含まれる希望遊技情報に対応する遊技情報を遊技情報データベースから抽出し、電子メールアドレスによって特定される携帯端末に送信するので、例えば、遊技者が遊技場へ入場するだけで希望する遊技情報を簡単に得ることができるようになる。
【０００８】
請求項２に記載の発明は、請求項１に記載の情報提供システムであって、前記会員登録情報に含まれる希望遊技情報は、遊技機の種類を特定するための種類特定情報であり、
前記遊技情報抽出手段は、
前記種類特定情報により特定される遊技機の遊技情報を抽出することを特徴とする。
【０００９】
ここで、「遊技情報」とは、例えば、当日または前日の大当り回数や回転数、現在の稼働状況などである。
【００１０】
請求項２に記載の発明によれば、会員登録情報に含まれる希望遊技情報は、遊技機の種類を特定するための種類特定情報であり、遊技情報抽出手段は、種類特定情報により特定される遊技機の遊技情報を抽出するので、遊技者が遊技をしたいと希望する機種の遊技情報が簡単に得られるので、遊技機の設置箇所に到達する前に、希望する機種の中のどの遊技機で遊技をするかを決定することができる。
【００１１】
請求項３に記載の発明は、請求項１又は２に記載の情報提供システムであって、前記登録情報抽出手段は、
前記ＩＣタグ読取装置からの一の固有識別情報の受信により、当該固有識別情報を受信履歴情報として記憶する固有識別情報記憶手段と、
前記遊技者に再度の前記遊技情報を送信すべく、前記受信履歴情報として記憶された前記固有識別情報のうち予め定められた所定条件が成立した固有識別情報に対応する前記会員登録情報を前記会員情報データベースから抽出する登録情報再抽出手段を含むことを特徴とする。
【００１２】
ここで「所定条件」とは、例えば、前回の情報送信から所定時間（例えば５分）が経過することである。
【００１３】
請求項３に記載の発明によれば、登録情報抽出手段は、ＩＣタグ読取装置からの一の固有識別情報の受信により、当該固有識別情報を受信履歴情報として記憶する固有識別情報記憶手段と、遊技者に再度の遊技情報を送信すべく、受信履歴情報として記憶された固有識別情報のうち予め定められた所定条件が成立した固有識別情報に対応する会員登録情報を会員情報データベースから抽出する登録情報再抽出手段を含むので、例えば、遊技場内にいる遊技者が、特別の操作をすることなく、所定時間毎にリアルタイムな遊技情報を簡単に得ることができる。
【００１４】
請求項４に記載の発明は、請求項３に記載の情報提供システムであって、前記ＩＣタグ読取装置は、前記遊技場の出入口に設置され、
前記固有識別情報記憶手段は、
前記受信履歴情報として記憶した前記固有識別情報と同一の固有識別情報を前記ＩＣタグ読取装置から受信することにより、当該受信履歴情報から受信した固有識別情報を消去する履歴消去手段を含むことを特徴とする。
【００１５】
請求項４に記載の発明によれば、ＩＣタグ読取装置は、遊技場の出入口に設置されているので、遊技者が遊技場へ入場するだけで希望する機種のリアルタイムな遊技情報を得ることができる。また、固有識別情報記憶手段は、受信履歴情報として記憶した固有識別情報と同一の固有識別情報をＩＣタグ読取装置から受信することにより、当該受信履歴情報から受信した固有識別情報を消去する履歴消去手段を含むので、遊技者が退場した際には受信履歴情報が消去されて遊技情報の送信が停止される。すなわち、必要なとき（遊技場にいる間）にだけ遊技情報を得ることができる。
【００１６】
請求項５に記載の発明は、請求項２から４の何れか一項に記載の情報提供システムであって、前記遊技場は、複数種類の遊技機が設置される複数の遊技コーナーにより構成され、
前記ＩＣタグ読取装置は、各遊技コーナーの出入口に各々設置され、
前記管理サーバは、前記遊技コーナー毎に設置されている遊技機の種類を記憶してなり、
各遊技コーナーに設置された前記ＩＣタグ読取装置から送信される前記固有識別情報に基づいて、遊技場内での遊技者の所在を特定する所在特定手段と、を備え、
前記固有識別情報記憶手段は、
前記所在特定手段により特定された遊技者の所在情報を、記憶してある前記固有識別情報に対応させて記憶し、
前記遊技情報抽出手段は、
前記所在情報と前記会員登録情報とに基づいて、前記所在情報から特定される遊技機の種類と前記種類特定情報とが一致しない場合に、前記遊技情報を抽出することを特徴とする。
【００１７】
請求項５に記載の発明によれば、遊技場は、複数種類の遊技機が設置される複数の遊技コーナーにより構成され、ＩＣタグ読取装置は、各遊技コーナーの出入口に各々設置され、管理サーバは、遊技コーナー毎に設置されている遊技機の種類を記憶してなり、各遊技コーナーに設置されたＩＣタグ読取装置から送信される固有識別情報に基づいて、遊技場内での遊技者の所在を特定する所在特定手段と、を備え、固有識別情報記憶手段は、所在特定手段により特定された遊技者の所在情報を、記憶してある固有識別情報に対応させて記憶し、遊技情報抽出手段は、所在情報と会員登録情報とに基づいて、所在情報から特定される遊技機の種類と種類特定情報とが一致しない場合に、遊技情報を抽出するので、遊技者が必要な場合にのみ遊技情報を得ることができる。
【００１８】
すなわち、遊技者が希望する機種が設置された場所にいない場合に遊技情報が送信されるので、遊技者が必要な場合にのみ遊技情報を得ることができる。特に、希望機種情報として遊技機の遊技空き状態を送信するようにすれば、希望する遊技機が設置される場所にいなくても、空いている遊技機があるかどうかが分かる。
また、遊技者が希望する機種で遊技をしていた場合には、その遊技情報は特に必要がないため、遊技情報が送信されるとなると遊技者にとって大変煩わしいが、所在情報から特定される遊技機の種類と種類特定情報とが一致する場合には遊技情報を抽出しないことで遊技者に遊技情報が送信されないようにするため、遊技者が煩わしく思うことがない。
【００１９】
請求項６に記載の発明は、請求項５に記載の情報提供システムであって、前記会員登録手段は、
前記希望遊技情報として複数種類の種類特定情報を登録可能であり、
前記遊技情報抽出手段は、
前記所在情報と前記会員登録情報とに基づいて、前記所在情報から特定される遊技機の種類と異なる前記種類特定情報が前記会員登録情報に含まれている場合には、当該異なる種類特定情報のみを抽出することを特徴とする。
【００２０】
請求項６に記載の発明によれば、会員登録手段は、希望遊技情報として複数種類の種類特定情報を登録可能であり、遊技情報抽出手段は、所在情報と会員登録情報とに基づいて、所在情報から特定される遊技機の種類と異なる種類特定情報が会員登録情報に含まれている場合には、当該異なる種類特定情報のみを抽出するので、希望遊技情報が複数設定されている場合には、遊技者が欲しい情報だけが送信されるので、欲しくない情報と併せて送信される場合に比べて遊技情報を確認するのが簡単であり、効率的である。
【００２１】
請求項７に記載の発明は、請求項１から６の何れか一項に記載の情報提供システムであって、前記管理サーバは、前記会員登録した遊技者所有の携帯端末から通信回線を介してアクセス可能であり、
前記携帯端末からのアクセスと操作に基づいて、会員登録情報の変更を受付ける登録情報変更受付手段を備えていることを特徴とする。
【００２２】
請求項７に記載の発明によれば、管理サーバは、会員登録した遊技者所有の携帯端末から通信回線を介してアクセス可能であり、携帯端末からのアクセスと操作に基づいて、会員登録情報の変更を受付ける登録情報変更受付手段を備えているので、簡単に希望遊技情報を変更することができ、その時、その日に欲しい機種の遊技情報のみを得ることができる。
【発明の効果】
【００２３】
本発明によれば、会員が所持する会員携帯媒体に備えられた固有識別情報が記憶されたＩＣタグを、遊技場に設置されたＩＣタグ読取装置が無線で読み取り、その情報を管理サーバに送信し、管理サーバが、ＩＣタグ読取装置により送信された固有識別情報に対応する会員登録情報を会員情報データベースから抽出して、その会員登録情報に含まれる希望遊技情報に対応する遊技情報を遊技情報データベースから抽出し、電子メールアドレスによって特定される携帯端末に送信するので、例えば、遊技者が遊技場へ入場するだけで希望する遊技情報を簡単に得ることができるようになる。
【発明を実施するための最良の形態】
【００２４】
以下、この発明の実施形態について図面を参照して説明する。
この情報提供システムは、遊技場１００に設置された遊技機１０１から収集した遊技情報が記憶される遊技情報データベース及び会員登録した遊技者の会員登録情報が記憶される会員情報データベースを管理する管理装置１２０（会員管理サーバ、管理サーバ）と、電子メールの受信及び受信した電子メールの表示が可能な遊技者所有の携帯端末３００（携帯電話３０１、ＰＨＳ３０２）とからなり、管理装置１２０が管理する遊技情報を会員登録した遊技者所有の携帯端末３００に通信回線を経由して提供するようになっている。
【００２５】
図１に示すように、遊技場１００においては、例えば、複数列の島設備に、それぞれ複数の遊技機１０１が左右に並べて設置されている。そして、各遊技機１０１毎に情報収集端末装置１０２が通信可能に接続されており、島設備毎等の複数の情報収集端末装置１０２は、中継装置１０４と通信可能に接続されている。さらに、各中継装置１０４は、内部ネットネットワークにより管理装置１２０、景品カウンタ１０７（ＰＯＳ装置）、ジェットカウンタ１０８、会員情報登録装置１０９、ＩＣタグ読取装置１１０と通信可能に接続されている。これにより遊技機１０１から出力された外部情報等のデータは、各情報収集端末装置１０２から中継装置１０４に出力され、さらに、各中継装置１０４から管理装置１２０などに送信されるようになっている。
【００２６】
また、各遊技機１０１に隣設して上部には呼出しランプ１０５が配され、島設備毎等の複数の呼出しランプ１０５毎に、島設備の端部などに設けられるコーナーランプ１０６と通信可能に接続されている。そして、遊技者の操作や遊技機１０１でのエラー発生により呼出しランプ１０５が点灯、点滅するのに連動して、該当する島設備のコーナーランプ１０６が点灯するようになっている。
【００２７】
図２に示すように、遊技機１０１から出力される外部情報として、遊技機１０１がパチンコ遊技機である場合は、例えば、賞球に関する情報（例えば、賞球数）を含む賞球信号、大当りに関する情報（例えば、大当り中であることを示す情報）を含む特賞信号、確率変動状態に関する情報（例えば、確率変動状態中であることを示す情報）を含む確変信号、変動表示ゲームの開始に関する情報を含むスタート信号、始動入賞に関する情報を含む始動入賞信号、ガラス枠、外枠が開放されている情報を含む開放信号があり、これらの情報が情報収集端末装置１０２に出力されるようになっている。
【００２８】
なお、遊技機１０１がパチスロ遊技機であった場合は、例えば、投入されたメダルに関する情報（例えば、投入メダル枚数）を含む投入メダル信号、賞メダルに関する情報（例えば、賞メダル数）を含む賞メダル信号、大当りに関する情報（例えば、ビックボーナス中、レギュラーボーナス中であることを示す情報）を含む特賞信号、遊技状態に関する情報（例えば、ＲＴ中であることを示す情報）を含む遊技状態信号、一区切りのゲームの開始に関する情報を含むスタート信号、前枠が開放されている情報を含む開放信号が情報収集端末装置１０２に出力されるようになっている。
【００２９】
また、各遊技機１０１毎に隣接して、遊技機同士の間に配置されるサンド装置１０３が遊技機１０１と１対１で配置されている。このサンド装置１０３は、現金やカード（ＩＣカードや磁気カードなど）の金額情報に基づき、所定数の遊技媒体（遊技球またはメダル）を貸し出すもので、遊技媒体の貸し出しの発生に伴い、貸し出した遊技媒体に関する情報（例えば、貸球数、貸メダル数）を含む貸出信号を出力するようになっている。また、遊技機１０１（パチンコ遊技機）が設置される島設備には、遊技機１０１の遊技領域を流下して回収され、遊技機１０１から島設備へ排出される回収球が流入するアウトタンク１１１が各遊技機１０１毎に配置されており、回収球の発生に伴い、回収球に関する情報（例えば、回収球数）を含む回収球信号を出力するようになっている。これらサンド装置１０３、アウトタンク１１１から出力される信号は、遊技機１０１もしくは情報収集端末装置１０２を介して中継装置１０４へ出力され、各中継装置１０４から管理装置１２０などに送信されるようになっている。なお、遊技機１０１から出力される外部情報やサンド装置１０３から出力される貸出信号、アウトタンク１１１から出力される回収球信号を管理装置１２０が監視することで、管理装置１２０において該当する遊技機１０１が稼動しているか否かを検出することができる。すなわち、これらの信号は遊技機１０１の稼動に関する情報である稼動情報をなす。
【００３０】
ジェットカウンタ１０８は遊技媒体（遊技球、メダル）を計数する計数機を備え、遊技者が獲得した遊技媒体を計数し、その獲得遊技媒体数を記録したカードやレシートを発行するものであり、管理装置１２０等と通信可能に接続されている。景品カウンタ１０７は、例えば、ジェットカウンタ１０８で発行されたカードやレシートを読み取るカードリーダライタ及びバーコードリーダを備え、遊技者が獲得した遊技媒体を景品と交換するものであり、管理装置１２０等と通信可能に接続されている。なお、ジェットカウンタ１０８や景品カウンタ１０７にて、遊技者が獲得した遊技媒体としての遊技球やメダルを景品と交換せずに貯める（いわゆる貯球、貯メダルサービス）ことができるようにしても良い。
【００３１】
会員情報登録装置１０９は管理サーバの一部をなすものであって、一般のパーソナルコンピュータやワークステーションと同様に、ＣＰＵやＲＯＭ、ＲＡＭなどを有する制御装置と、入力装置としてのキーボード、出力装置としてのモニタ、プリンタ、記憶装置としてのハードディスクなどを備え、管理装置１２０等と通信可能に接続されている。この会員情報登録装置１０９は、新規登録する会員の氏名、希望遊技情報、電子メールアドレス、住所、電話番号、その他年齢や生年月日などを、配布するＩＣタグの固有識別情報に関連付けて、管理装置１２０にて記憶管理される図４に示すような会員情報データベースに登録する会員登録手段をなす。また、既に登録された会員の会員情報を変更することもできるようになっている。
【００３２】
また、登録された会員には会員携帯媒体４００として、図５（ａ）に示すような会員カードが発行される。この会員カード４０２には固有識別情報を記憶したＩＣタグ４０１が内蔵されている。なお、会員携帯媒体４００として、図５（ｂ）に示すように、携帯端末３００（携帯電話３０１、ＰＨＳ３０２など）に取り付けるストラップ４０３を発行し、このストラップ４０３にＩＣタグ４０１を埋め込むようにしても良い。
【００３３】
ＩＣタグ読取装置１１０は、会員携帯媒体４００に内蔵されたＩＣタグ４０１と無線で通信し、記憶されている情報を読み取るものであり、管理装置１２０等と通信可能に接続されている。このＩＣタグ読取装置１１０は、図６に示すように、遊技場１００内の所定位置（例えば、出入口付近）に設置されており、近くを通った遊技者が所有する会員携帯媒体４００に埋め込まれたＩＣタグ４０１の固有識別情報を無線で読み取り、管理装置１２０に送信するようになっている。
【００３４】
管理装置１２０は管理サーバの一部をなすものであって、一般のパーソナルコンピュータやワークステーションと同様に、図３に示すように、バス１２１を介して接続されるＣＰＵ１２２，ＲＡＭ１２３，ＲＯＭ１２４等を有する主制御部、記憶装置１２５をなすハードディスク（ＨＤＤ）、キーボードやマウスなどの入力装置１２８やモニタ、プリンタなどの出力装置１２９を接続するＩ／Ｏポート１２６、遊技場１００の内部ネットワークやインターネットのような外部ネットワーク２００などのネットワークに接続するためのネットワーク通信ポート１２７を備える。
【００３５】
そして、管理装置１２０は、各遊技機１０１に接続した情報収集端末装置１０２と中継装置１０４を介して通信可能に接続され、各遊技機１０１の外部情報等に基づいて、各遊技機１０１の入球データ、出球データ、差球データ、変動表示ゲームの実行回数、非確変の大当り回数、確変の大当り回数等の遊技情報を時系列に従って記憶装置１２５に遊技情報データベースとして記憶し、管理できるようになっている。また、サンド装置１０３やアウトタンク１１１、ジェットカウンタ１０８や景品カウンタ１０７とも通信可能であり、遊技場１００全体での遊技媒体数の変化を管理可能となっている。
【００３６】
また、管理装置１２０は、会員情報を管理する会員管理サーバとしての機能も有しており、図４に示すような会員情報データベースとして、例えば、会員の氏名、希望遊技情報、電子メールアドレス、住所、電話番号、その他年齢や生年月日、来場回数などを、各会員に配布されたＩＣタグ４０１の固有識別情報毎に記憶管理している。
【００３７】
この会員情報データベースの項目はここに挙げられたものに限られず、会員によって登録された暗証番号、パスワードを、各会員に配布されたＩＣタグ４０１の固有識別情報毎に記憶管理し、入力された暗証番号、パスワードと照合することで、より確実に会員本人であることを確認できるようしてもよい。さらに、貯遊技媒体データとしての貯遊技媒体数（貯球数、貯メダル数）を各会員に配布されたＩＣタグ４０１の固有識別情報毎に記憶管理するようにしてもよい。
【００３８】
すなわち、管理装置１２０、会員情報登録装置１０９が、会員登録時に会員登録情報として、遊技者の希望する希望遊技情報と、遊技者所有の携帯端末３００の電子メールアドレスと、会員携帯媒体４００のＩＣタグ４０１の固有識別情報とを互いに対応させて会員情報データベースに登録する会員登録手段をなす。
【００３９】
また、管理装置１２０は、ネットワーク通信ポート１２７を介して外部ネットワーク２００（インターネット通信網）に接続されており、この外部ネットワーク２００を通じて、後述するように携帯電話３０１やＰＨＳ３０２などの携帯端末に遊技情報などを電子メールにて送ることができるようになっている。また、外部ネットワーク２００に接続可能な機器から管理装置１２０に登録された会員情報データベースの内容を変更することも可能となっている。
【００４０】
この会員情報データベースの登録内容の変更は、例えば、図７に示すように、遊技場１００の会員情報変更ウェブサイトにアクセスすることで行うことができるようになっている。会員情報変更ウェブサイトにアクセスすると、まず、図７（ａ）に示すように、会員情報データベースに登録されている情報を確認する「登録情報確認」、会員情報データベースに登録されている情報を変更する「登録情報変更」、サービスの一時停止や退会の手続きを行う「サービス停止」のメニューが表示される。ここで、「登録情報変更」のメニューを選択すると、図７（ｂ）に示すように、本人確認のため、会員の氏名を入力するウェブページが表示される。なお、氏名の他、会員固有のログインＩＤ、パスワードなどの入力を求めるようにしても良い。
【００４１】
本人確認がなされると、図７（ｃ）に示すように、現在の登録情報が表示されるようになっている。なお、ここでは、現在の希望遊技情報が表示された状態を示している。また、希望遊技情報は遊技機１０１の種類を特定するための種類特定情報として、機種名（ＣＲ太郎、スロットＢＢ）が表示された状態を示している。ここで、この希望遊技情報の変更を希望する「ＹＥＳ」を選択すると、図７（ｄ）に示すように、現在遊技場１００に設置されている機種名の一覧が表示される。この一覧から、希望する機種を選択すると、図７（ｅ）に示すような確認画面が表示され、確認を承諾する「ＹＥＳ」を選択すると、図７（ｆ）に示すような登録完了画面が表示される。また、この登録完了画面においては、会員情報が変更された旨が記載された登録情報確認メールの必要の有無を選択できるようになっている。すなわち、管理装置１２０（管理サーバ）が、会員登録情報の変更を受付ける登録情報変更受付手段をなす。
【００４２】
以上のような構成を有する情報提供システムは、管理装置１２０がＩＣタグ読取装置１１０からの情報に基づき、図８に示すような遊技情報送信処理を行い、遊技者に対して遊技情報を電子メールで送信するようになっている。この遊技情報送信処理においては、まず、ＩＣタグ読取装置１１０から読み取ったＩＣタグ４０１の固有識別情報を受信したか否かの判定（ステップＳ１）を行う。ＩＣタグ４０１の固有識別情報を受信したか否かの判定（ステップＳ１）において、ＩＣタグ４０１の固有識別情報を受信していない場合（ステップＳ１；Ｎ）は、遊技情報送信処理を終了する。ＩＣタグ４０１の固有識別情報を受信したか否かの判定（ステップＳ１）において、ＩＣタグ４０１の固有識別情報を受信した場合（ステップＳ１；Ｙ）は、ＩＣタグ４０１の固有識別情報により特定される希望遊技情報と電子メールアドレスを検索する処理（ステップＳ２）を行う。
【００４３】
ＩＣタグ４０１の固有識別情報により特定される希望遊技情報と電子メールアドレスを検索する処理（ステップＳ２）においては、ＩＣタグ読取装置１１０で読み取ったＩＣタグ４０１の固有識別情報を、会員情報データベースと照合することで会員を特定するとともに、特定した会員の電子メールアドレス、希望遊技情報を抽出する処理が行われる。すなわち、管理装置１２０が、ＩＣタグ読取装置１１０により送信された固有識別情報に対応する会員登録情報を会員情報データベースから抽出する登録情報抽出手段をなす。
【００４４】
このＩＣタグ４０１の固有識別情報により特定される希望遊技情報と電子メールアドレスを検索する処理（ステップＳ２）を行った後、抽出した希望遊技情報に対応する遊技情報を抽出する処理（ステップＳ３）を行う。
【００４５】
抽出した希望遊技情報に対応する遊技情報を抽出する処理（ステップＳ３）においては、例えば、希望遊技情報が機種特定情報であって機種が指定されていた場合は、管理装置１２０に記憶管理されている該当する機種の現在の遊技情報を遊技情報データベースから抽出する処理を行う。すなわち、管理装置１２０が、登録情報抽出手段により抽出された会員登録情報に含まれる希望遊技情報に対応する遊技情報を遊技情報データベースから抽出する遊技情報抽出手段をなす。
【００４６】
この抽出した希望遊技情報に対応する遊技情報を抽出する処理（ステップＳ３）を行った後、抽出した遊技情報を該当する電子メールアドレスに送信する処理（ステップＳ４）を行い、遊技情報送信処理を終了する。
【００４７】
抽出した遊技情報を該当する電子メールアドレスに送信する処理（ステップＳ４）においては、ＩＣタグ４０１の固有識別情報により特定される希望遊技情報と電子メールアドレスを検索する処理（ステップＳ２）で抽出された電子メールアドレスに、抽出した希望遊技情報に対応する遊技情報を抽出する処理（ステップＳ３）で抽出した遊技情報を送信する処理を行う。これにより、遊技者は遊技場１００に入場するだけで特別な操作をすることなく希望する遊技情報を得ることができる。すなわち、管理装置１２０が、登録情報抽出手段により抽出された会員登録情報に含まれる電子メールアドレスによって特定される携帯端末３００に、遊技情報抽出手段により抽出された遊技情報を送信する遊技情報送信手段をなす。
【００４８】
以上のことから、遊技場１００に設置された遊技機１０１から収集した遊技情報が記憶される遊技情報データベース及び会員登録した遊技者の会員登録情報が記憶される会員情報データベースを管理する管理サーバ（管理装置１２０）と、電子メールの受信及び受信した電子メールの表示が可能な遊技者所有の携帯端末３００と、を備え、管理サーバが管理する遊技情報を会員登録した遊技者所有の携帯端末３００に通信回線を経由して提供する情報提供システムであって、遊技者の会員登録時に発行又は配布され、固有識別情報が記憶されたＩＣタグ４０１を有する会員携帯媒体４００と、管理サーバと通信可能に遊技場１００内に設置され、無線により遊技者の所持する会員携帯媒体４００のＩＣタグ４０１と通信し、該通信により読取ったＩＣタグ４０１の固有識別情報を管理サーバに送信するＩＣタグ読取装置１１０と、を備え、管理サーバは、会員登録時に会員登録情報として、遊技者の希望する希望遊技情報と、当該遊技者所有の携帯端末３００の電子メールアドレスと、会員携帯媒体４００のＩＣタグ４０１の固有識別情報とを互いに対応させて会員情報データベースに登録する会員登録手段（管理装置１２０、会員情報登録装置１０９）と、ＩＣタグ読取装置１１０により送信された固有識別情報に対応する会員登録情報を会員情報データベースから抽出する登録情報抽出手段（管理装置１２０）と、登録情報抽出手段により抽出された会員登録情報に含まれる希望遊技情報に対応する遊技情報を遊技情報データベースから抽出する遊技情報抽出手段（管理装置１２０）と、登録情報抽出手段により抽出された会員登録情報に含まれる電子メールアドレスによって特定される携帯端末３００に、遊技情報抽出手段により抽出された遊技情報を送信する遊技情報送信手段（管理装置１２０）と、を備えたこととなる。
【００４９】
また、会員登録情報に含まれる希望遊技情報は、遊技機１０１の種類を特定するための種類特定情報であり、遊技情報抽出手段は、種類特定情報により特定される遊技機１０１の遊技情報を抽出することとなる。
【００５０】
次に、以上のような情報提供システムの第１変形例について図９を参照して説明する。なお、上述の実施形態と同様の構成を有するものについては同じ符号を付して説明を省略する。本変形例の情報提供システムは、上述した図８に示す遊技情報送信処理に替えて、図９に示すような遊技情報送信処理を行うことで、遊技場１００内にいる遊技者に対しては所定時間ごとに最新の遊技情報を提供し、また、退場した遊技者に対しては遊技情報の提供を中止するようにしている。また、本変形例の情報提供システムでは、ＩＣタグ読取装置１１０を遊技場１００の出入口付近に設置している。
【００５１】
本変形例の遊技情報送信処理においては、まず、ＩＣタグ読取装置１１０から読み取ったＩＣタグ４０１の固有識別情報を受信したか否かの判定（ステップＴ１）を行う。すなわち、ＩＣタグ４０１が内蔵された会員携帯媒体４００を所持している遊技者が、遊技場１００の出入口を通過したかが判定される。ＩＣタグ４０１の固有識別情報を受信したか否かの判定（ステップＴ１）において、ＩＣタグ４０１の固有識別情報を受信していない場合（ステップＴ１；Ｎ）、すなわち遊技者の出入りがなかった場合は、送信リストの中で登録時刻から所定時間経過したものを抽出する処理（ステップＴ６）を行う。また、ＩＣタグ４０１の固有識別情報を受信したか否かの判定（ステップＴ１）において、ＩＣタグ４０１の固有識別情報を受信した場合（ステップＴ１；Ｙ）、すなわち、遊技者の出入りがあった場合は、送信リストに該当するＩＣタグ４０１の固有識別情報があるか否かの判定（ステップＴ２）を行う。
【００５２】
送信リストに該当するＩＣタグ４０１の固有識別情報があるか否かの判定（ステップＴ２）において、送信リストに該当するＩＣタグ４０１の固有識別情報がない場合（ステップＴ２；Ｎ）は、ＩＣタグ４０１の固有識別情報により特定される希望遊技情報を該当する電子メールアドレスに送信する処理（ステップＴ３）を行う。送信リストは、ＩＣタグ読取装置１１０で受信した固有識別情報を受信履歴情報として記憶するものであり、場内にいる遊技者（会員）が所持している会員携帯媒体４００に内蔵されているＩＣタグ４０１の固有識別情報が登録される。よって、この送信リストに該当するＩＣタグ４０１の固有識別情報がないということは、その会員がちょうど入場したということである。
【００５３】
ＩＣタグ４０１の固有識別情報により特定される希望遊技情報を該当する電子メールアドレスに送信する処理（ステップＴ３）では、上述した図８に示す遊技情報送信処理と同様の処理が行われる。すなわち、ＩＣタグ読取装置１１０で読み取ったＩＣタグ４０１の固有識別情報を、会員管理データベースと照合することで会員を特定し、特定した会員の電子メールアドレスに希望遊技情報に対応する遊技情報を送信する処理が行われる。このＩＣタグの４０１固有識別情報により特定される希望遊技情報を該当する電子メールアドレスに送信する処理（ステップＴ３）を行った後、ＩＣタグ４０１の固有識別情報に対応させて時刻を送信リストに登録する処理（ステップＴ４）を行う。
【００５４】
ＩＣタグ４０１の固有識別情報に対応させて時刻を送信リストに登録する処理（ステップＴ４）においては、ＩＣタグ４０１の固有識別情報と、このＩＣタグ４０１の固有識別情報で特定された会員の電子メールアドレスに遊技情報を送信した時刻を受信履歴情報として送信リストに登録する処理が行われる。すなわち、管理装置１２０が、ＩＣタグ読取装置１１０からの一の固有識別情報の受信により、当該固有識別情報を受信履歴情報として記憶する固有識別情報記憶手段をなす。
【００５５】
そして、このＩＣタグ４０１の固有識別情報に対応させて時刻を送信リストに登録する処理（ステップＴ４）を行った後、送信リストの中で登録時刻から所定時間経過したものを抽出する処理（ステップＴ６）を行う。
【００５６】
また、送信リストに該当するＩＣタグ４０１の固有識別情報があるか否かの判定（ステップＴ２）において、送信リストに該当するＩＣタグ４０１の固有識別情報がある場合（ステップＴ２；Ｎ）は、送信リストから受信したＩＣタグ４０１の固有識別情報に対応する情報を削除する処理（ステップＴ５）を行う。上述したように、送信リストは、ＩＣタグ４０１が内蔵された会員携帯媒体４００を有する会員が入場した際にその固有識別情報が登録されるようになっており、出入口にあるＩＣタグ読取装置１１０で読み取ったＩＣタグ４０１の固有識別情報が送信リストにあるということは、そのＩＣタグ４０１が内蔵された会員携帯媒体４００を有する会員が退場したということであり、送信リストからその固有識別情報を削除する。これにより送信リストには、場内にいる会員の有するＩＣタグ４０１の固有識別情報のみが登録された状態となる。すなわち、管理装置１２０が、受信履歴情報として送信リストに記憶した固有識別情報と同一の固有識別情報をＩＣタグ読取装置１１０から受信することにより、当該受信履歴情報から受信した固有識別情報を消去する履歴消去手段をなす。
【００５７】
この送信リストから受信したＩＣタグ４０１の固有識別情報に対応する情報を削除する処理（ステップＴ５）を行った後、送信リストの中で登録時刻から所定時間経過したものを抽出する処理（ステップＴ６）を行う。
【００５８】
送信リストの中で登録時刻から所定時間経過したものを抽出する処理（ステップＴ６）においては、ＩＣタグ４０１の固有識別情報に対応させて時刻を送信リストに登録する処理（ステップＴ４）で登録した時刻から所定時間（例えば５分）経過したものを抽出する処理が行われる。これにより、遊技場１００内にいる会員のうち、前回の遊技情報の送信から所定時間経過している会員を抽出することができる。すなわち、管理装置１２０が、遊技者に再度の遊技情報を送信すべく、受信履歴情報として送信リストに記憶された固有識別情報のうち予め定められた所定条件が成立した固有識別情報に対応する会員登録情報を会員情報データベースから抽出する登録情報再抽出手段をなす。この送信リストの中で登録時刻から所定時間経過したものを抽出する処理（ステップＴ６）を行った後、抽出結果があるか否かの判定（ステップＴ７）を行う。
【００５９】
抽出結果があるか否かの判定（ステップＴ７）において、抽出結果がない場合（ステップＴ７；Ｎ）、すなわち、遊技場１００内にいる会員のうち、前回の遊技情報の送信から所定時間経過している会員がいない場合は、遊技情報送信処理を終了する。また、抽出結果があるか否かの判定（ステップＴ７）において、抽出結果がある場合（ステップＴ７；Ｙ）すなわち、遊技場１００内にいる会員のうち、前回の遊技情報の送信から所定時間経過している会員がいる場合は、希望遊技情報を該当する電子メールアドレスへ送信する処理（ステップＴ８）を行う。
【００６０】
希望遊技情報を該当する電子メールアドレスへ送信する処理（ステップＴ８）においては、送信リストの中で登録時刻から所定時間経過したものを抽出する処理（ステップＴ６）で抽出された会員に対し、最新の遊技情報を送信する処理が行われる。この希望遊技情報を該当する電子メールアドレスへ送信する処理（ステップＴ８）を行った後、該当する登録時刻を現在の時刻に変更する処理（ステップＴ９）を行い、遊技情報送信処理を終了する。
【００６１】
該当する登録時刻を現在の時刻に変更する処理（ステップＴ９）においては、遊技情報を再度送信した会員の固有識別情報の送信リストへの登録時刻を、現在の時刻に変更する処理が行われる。これにより、送信リストの中で登録時刻から所定時間経過したものを抽出する処理（ステップＴ６）を行うだけで、前回の遊技情報の送信から所定時間経過した会員を抽出でき、処理が簡単になる。
【００６２】
以上のことから、登録情報抽出手段（管理装置１２０）は、ＩＣタグ読取装置１１０からの一の固有識別情報の受信により、当該固有識別情報を受信履歴情報として記憶する固有識別情報記憶手段（管理装置１２０）と、遊技者に再度の遊技情報を送信すべく、受信履歴情報として記憶された固有識別情報のうち予め定められた所定条件が成立した固有識別情報に対応する会員登録情報を会員情報データベースから抽出する登録情報再抽出手段（管理装置１２０）を含んでいることとなる。
【００６３】
また、ＩＣタグ読取装置１１０は、遊技場１００の出入口に設置され、固有識別情報記憶手段（管理装置１２０）は、受信履歴情報として記憶した固有識別情報と同一の固有識別情報をＩＣタグ読取装置１１０から受信することにより、当該受信履歴情報から受信した固有識別情報を消去する履歴消去手段（管理装置１２０）を含んでいることとなる。
【００６４】
次に、以上のような情報提供システムの第２変形例について図１０から１２を参照して説明する。なお、上述の実施形態と同様の構成を有するものについては同じ符号を付して説明を省略する。
本変形例の情報提供システムは、ＩＣタグ読取装置１１０を遊技場１００の出入口だけでなく、複数種類の遊技機１０１が設置される複数の遊技コーナー１３１，１３２，１３４，１３４における、各遊技コーナーの出入口や、遊技場１００内に設けられた休憩所１３０の出入口にも配置されている。このように遊技場１００内の各所にＩＣタグ読取装置１１０が配置されていることで、ＩＣタグ４０１が内蔵された会員携帯媒体４００を所持する会員の遊技場１００内における位置に関する所在情報を得ることができる。
【００６５】
この所在情報は、管理装置１２０がＩＣタグ読取装置１１０から送信される固有識別情報と、情報を送信したＩＣタグ読取装置１１０の位置とから遊技者の位置を把握し、記憶するようになっている。例えば、ＩＣタグ４０１が内蔵された会員携帯媒体４００を所持した遊技者が入場すると、出入口にあるＩＣタグ読取装置１１０にて固有識別情報が読み取られ、管理装置１２０に送信される。管理装置１２０では送信リストに該当する固有識別情報がないことから、遊技者が入場したことを認識する。そして、該当する固有識別情報が、他のＩＣタグ読取装置１１０にて読み取られるまでは、遊技者の所在情報を通路１３５とする。
【００６６】
通路１３５にいる遊技者が第１遊技コーナー１３１に入ると、第１遊技コーナー１３１の端部に設けられたＩＣタグ読取装置１１０が固有識別情報を読み取り、管理装置１２０に送信する。管理装置１２０では、これまで通路１３５にいた遊技者が第１遊技コーナー１３１の端部に設けられたＩＣタグ読取装置１１０で検出されたことから、遊技者が第１遊技コーナー１３１に入ったことを認識し、所在情報を第１遊技コーナー１３１とする。
【００６７】
また、第１遊技コーナー１３１にいる遊技者が、第１遊技コーナー１３１から通路１３５に出ると、第１遊技コーナー１３１の端部に設けられたＩＣタグ読取装置１１０が固有識別情報を読み取り、管理装置１２０に送信する。管理装置１２０では、これまで第１遊技コーナー１３１にいた遊技者が第１遊技コーナー１３１の端部に設けられたＩＣタグ読取装置１１０で検出されたことから、遊技者が第１遊技コーナー１３１から出たことを認識し、所在情報を通路とする。
【００６８】
このような遊技者の所在情報は、図１２（ａ）に示すようなリストとして、ＩＣタグ４０１の固有識別情報毎に、現在の所在情報とその登録時刻が管理装置１２０に記憶されるとともに、随時更新されるようになっている。すなわち、管理装置１２０が、ＩＣタグ読取装置１１０から送信される固有識別情報に基づいて、遊技場１００内での遊技者の所在を特定する所在特定手段をなす。
【００６９】
また、管理装置１２０は、図１２（ｂ）に示すような配置機種リストとして、各遊技コーナー１３１，１３２，１３３，１３４に設置されている遊技機１０１の機種を機種情報として記憶しており、上述の遊技者の所在情報とあわせることで、遊技者のいる位置にどのような遊技機１０１があるかを把握できるようになっている。
【００７０】
以上のような構成を有する情報提供システムは、管理装置１２０がＩＣタグ読取装置１１０からの情報に基づき、図１１に示すような遊技情報送信処理を行い、遊技場１００内にいる遊技者に対して必要な遊技情報のみを提供するようになっている。
【００７１】
この遊技情報送信処理においては、まず、ＩＣタグ読取装置１１０から読み取ったＩＣタグ４０１の固有識別情報を受信したか否かの判定（ステップＵ１）を行う。ＩＣタグ４０１の固有識別情報を受信したか否かの判定（ステップＵ１）において、ＩＣタグ４０１の固有識別情報を受信していない場合（ステップＵ１；Ｎ）は、送信リストの中で登録時刻から所定時間経過したものを抽出する処理（ステップＵ８）を行う。
【００７２】
また、ＩＣタグ４０１の固有識別情報を受信したか否かの判定（ステップＵ１）において、ＩＣタグ４０１の固有識別情報を受信した場合（ステップＵ１；Ｙ）は、出入口に設けられたＩＣタグ読取装置１１０から受信したか否かの判定（ステップＵ２）を行う。
【００７３】
出入口に設けられたＩＣタグ読取装置１１０から受信したか否かの判定（ステップＵ２）において、出入口に設けられたＩＣタグ読取装置１１０からの受信ではない場合（ステップＵ２；Ｎ）は、送信リストの受信したＩＣタグ４０１の固有識別情報に対応する所在情報と登録時刻を、受信した所在情報と登録時刻に変更する処理（ステップＵ７）を行う。すなわちこの場合は、会員が遊技場１００内の異なる遊技コーナーに移動した場合であって、その移動先を新たな所在情報として登録するとともに、登録時刻をＩＣタグ４０１の固有識別情報を受信した時刻に変更する。そしてその後、送信リストの中で登録時刻から所定時間経過したものを抽出する処理（ステップＵ８）を行う。
【００７４】
また、出入口に設けられたＩＣタグ読取装置から受信したか否かの判定（ステップＵ２）において、出入口に設けられたＩＣタグ読取装置から受信した場合（ステップＵ２；Ｙ）は、送信リストに該当するＩＣタグの固有識別情報があるか否かの判定（ステップＵ３）を行う。
【００７５】
送信リストに該当するＩＣタグの固有識別情報があるか否かの判定（ステップＵ３）において、送信リストに該当するＩＣタグの固有識別情報がない場合（ステップＵ３；Ｎ）は、ＩＣタグ固有識別情報により特定される希望遊技情報を該当する電子メールアドレスに送信する処理（ステップＵ４）を行う。なお、送信リストは、遊技場１００内にいる遊技者（会員）が所持している会員携帯媒体４００に内蔵されたＩＣタグ４０１の固有識別情報が登録されるものであり、この送信リストに該当するＩＣタグ４０１の固有識別情報がないということは、その会員がちょうど入場したということである。
【００７６】
ＩＣタグ４０１の固有識別情報により特定される希望遊技情報を該当する電子メールアドレスに送信する処理（ステップＵ４）では、上述した図９に示す遊技情報送信処理と同様の処理が行われる。すなわち、ＩＣタグ読取装置１１０で読み取ったＩＣタグ４０１の固有識別情報を、会員管理データベースと照合することで会員を特定し、特定した会員の電子メールアドレスに希望遊技情報に対応する遊技情報を送信する処理が行われる。
このＩＣタグ４０１の固有識別情報により特定される希望遊技情報を該当する電子メールアドレスに送信する処理（ステップＵ４）を行った後、ＩＣタグ４０１の固有識別情報に対応させて所在情報と時刻を送信リストに登録する処理（ステップＵ５）を行う。
【００７７】
ＩＣタグ４０１の固有識別情報に対応させて所在情報と時刻を送信リストに登録する処理（ステップＵ５）においては、このＩＣタグ４０１を所持する会員の所在情報およびこのＩＣタグ４０１の固有識別情報で特定された会員の電子メールアドレスに遊技情報を送信した時刻を、ＩＣタグ４０１の固有識別情報に対応させて送信リストに登録する処理が行われる。そして、このＩＣタグ４０１の固有識別情報に対応させて時刻を送信リストに登録する処理（ステップＵ５）を行った後、送信リストの中で登録時刻から所定時間経過したものを抽出する処理（ステップＵ８）を行う。
【００７８】
また、送信リストに該当するＩＣタグ４０１の固有識別情報があるか否かの判定（ステップＵ３）において、送信リストに該当するＩＣタグ４０１の固有識別情報がある場合（ステップＵ３；Ｎ）は、送信リストから受信したＩＣタグ４０１の固有識別情報に対応する情報を削除する処理（ステップＵ６）を行う。上述したように、送信リストはＩＣタグ４０１を有する会員が入場した際にその固有識別情報を登録するものであり、出入口にあるＩＣタグ読取装置１１０で読み取ったＩＣタグ４０１の固有識別情報が送信リストにあるということは、そのＩＣタグ４０１を有する会員が退場したということであり、送信リストからその固有識別情報を削除する。これにより送信リストには、遊技場１００内にいる会員の有するＩＣタグ４０１の固有識別情報のみが登録された状態となる。なお、休憩所１３０は遊技場１００内に設けられているが、ここを出入りする場合も遊技場１００を出入りする場合と同様に扱うものとし、休憩中は遊技情報を送信しないようにしている。
【００７９】
送信リストから受信したＩＣタグ４０１の固有識別情報に対応する情報を削除する処理（ステップＵ６）を行った後、送信リストの中で登録時刻から所定時間経過したものを抽出する処理（ステップＵ８）を行う。送信リストの中で登録時刻から所定時間経過したものを抽出する処理（ステップＵ８）においては、ＩＣタグ４０１の固有識別情報に対応させて登録された時刻から所定時間（例えば５分）経過したものを抽出する処理が行われる。すなわち、遊技場１００内にいる会員のうち、前回の遊技情報の送信から所定時間経過している会員を抽出する。この送信リストの中で登録時刻から所定時間経過したものを抽出する処理（ステップＵ８）を行った後」、抽出結果があるか否かの判定（ステップＵ９）を行う。
【００８０】
抽出結果があるか否かの判定（ステップＵ９）において、抽出結果がない場合（ステップＵ９；Ｎ）、すなわち、遊技場１００内にいる会員のうち、前回の遊技情報の送信から所定時間経過している会員がいない場合は、遊技情報送信処理を終了する。また、抽出結果があるか否かの判定（ステップＵ９）において、抽出結果がある場合（ステップＵ９；Ｙ）すなわち、遊技場１００内にいる会員のうち、前回の遊技情報の送信から所定時間経過している会員がいる場合は、所在情報に対応して設定された機種情報と希望遊技情報とを比較する処理（ステップＵ１０）を行う。
【００８１】
所在情報に対応して設定された機種情報と希望遊技情報とを比較する処理（ステップＵ１０）においては、会員の所在情報を、図１２（ｂ）に示す管理装置１２０のデータベースに登録された、遊技場１００における遊技機１０１の配置機種リストに参照する。そして、会員の所在位置に設置された機種に関する情報である機種情報と、希望遊技情報として登録した機種に関する情報である種類特定情報とを比較する処理を行う。その後、その比較結果が完全同一であるか否かの判定（ステップＵ１１）を行う。
【００８２】
比較結果が完全同一であるか否かの判定（ステップＵ１１）においては、会員の所在位置に設置された機種に関する情報である機種情報と、希望遊技情報として登録した機種に関する情報である種類特定情報とが完全に同一であるかが判定される。なお、ここで言う完全に同一とは、少なくとも希望遊技情報として登録されている機種の全てが所在位置にあればよく、さらにその場所に他の機種が設置されていてもよい。
【００８３】
比較結果が完全同一であるか否かの判定（ステップＵ１１）において、完全同一である場合（ステップＵ１１；Ｙ）は、送信リストの登録時刻を現在時刻に変更する処理（ステップＵ１２）を行い、遊技情報送信処理を終了する。すなわち、遊技者の所在位置に遊技者が希望遊技情報として登録した機種があり、遊技者が直接遊技情報を見ることができるので、電子メールによる遊技情報の送信は行わない。ただし、所定時間後に遊技情報の送信に関する処理が行われるように、登録時刻を現在の時刻に変更する処理を行うようにしている。
【００８４】
また、比較結果が完全同一であるか否かの判定（ステップＵ１１）において、完全同一でない場合（ステップＵ１１；Ｎ）は、一部同一であるか否かの判定（ステップＵ１３）を行う。
【００８５】
この一部同一であるか否かの判定（ステップＵ１３）において、会員の所在位置に設置された機種に関する情報である機種情報と、希望遊技情報として登録した機種に関する情報である種類特定情報とが一部同一である場合（ステップＵ１３；Ｙ）は、所在情報に対応する機種情報とは異なる希望遊技情報を該当する電子メールアドレスへ送信する処理（ステップＵ１４）を行う。所在情報に対応する機種情報とは異なる希望遊技情報を該当する電子メールアドレスへ送信する処理（ステップＵ１４）においては、希望遊技情報として登録された機種のうち、遊技者がいる位置にある機種以外の機種の遊技情報を電子メールで送信する処理が行われる。この所在情報に対応する機種情報とは異なる希望遊技情報を該当する電子メールアドレスへ送信する処理（ステップＵ１４）を行った後、送信リストの登録時刻を現在時刻に変更する処理（ステップＵ１２）を行い、遊技情報送信処理を終了する。
【００８６】
また、一部同一であるか否かの判定（ステップＵ１３）において、会員の所在位置に設置された機種に関する情報である機種情報と、希望遊技情報として登録した機種に関する情報である種類特定情報とが一部同一でない場合（ステップＵ１３；Ｎ）、すなわち、会員の所在位置にある機種と希望遊技情報として登録されている機種が全く異なる場合には、全ての希望遊技情報を該当する電子メールアドレスへ送信する処理（ステップＵ１５）を行う。全ての希望遊技情報を該当する電子メールアドレスへ送信する処理（ステップＵ１５）においては、希望遊技情報として登録された機種全ての遊技情報を電子メールで送信する処理が行われる。この全ての希望遊技情報を該当する電子メールアドレスへ送信する処理（ステップＵ１５）を行った後、送信リストの登録時刻を現在時刻に変更する処理（ステップＵ１２）を行い、遊技情報送信処理を終了する。
【００８７】
以上のような処理によって、遊技場に入場または休憩所から戻った遊技者に対しては、すぐに遊技情報が送信されるようになる。また、所定時間ごとに遊技者に最新の遊技情報が送信されるようになる。
さらに、遊技者が、情報の提供を希望する機種がある遊技コーナーにいる場合には、その機種の遊技情報の提供をしないようにでき、遊技者が煩わしく思うことを防止できる。
【００８８】
以上のことから、遊技場１００は、複数種類の遊技機１０１が設置される複数の遊技コーナー１３１，１３２，１３３，１３４により構成され、ＩＣタグ読取装置１１０は、各遊技コーナー１３１，１３２，１３３，１３４の出入口に各々設置され、管理サーバ（管理装置１２０）は、遊技コーナー１３１，１３２，１３３，１３４毎に設置されている遊技機１０１の種類を記憶してなり、各遊技コーナー１３１，１３２，１３３，１３４に設置されたＩＣタグ読取装置１１０から送信される固有識別情報に基づいて、遊技場１００内での遊技者の所在を特定する所在特定手段（管理装置１２０）と、を備え、固有識別情報記憶手段（管理装置１２０）は、所在特定手段により特定された遊技者の所在情報を、記憶してある固有識別情報に対応させて記憶し、遊技情報抽出手段（管理装置１２０）は、所在情報と会員登録情報とに基づいて、所在情報から特定される遊技機１０１の種類と種類特定情報とが一致しない場合に、遊技情報を抽出するようにしたこととなる。
【００８９】
また、会員登録手段（管理装置１２０、会員情報登録装置１０９）は、希望遊技情報として複数種類の種類特定情報を登録可能であり、遊技情報抽出手段（管理装置１２０）は、所在情報と会員登録情報とに基づいて、所在情報から特定される遊技機１０１の種類と異なる種類特定情報が会員登録情報に含まれている場合には、当該異なる種類特定情報のみを抽出するようにしている。
【００９０】
以上のような情報提供システムは、遊技場１００に設置された遊技機１０１から収集した遊技情報が記憶される遊技情報データベース及び会員登録した遊技者の会員登録情報が記憶される会員情報データベースを管理する管理サーバ（管理装置１２０）と、電子メールの受信及び受信した電子メールの表示が可能な遊技者所有の携帯端末３００と、を備え、管理サーバが管理する遊技情報を会員登録した遊技者所有の携帯端末３００に通信回線を経由して提供する情報提供システムであって、遊技者の会員登録時に発行又は配布され、固有識別情報が記憶されたＩＣタグ４０１を有する会員携帯媒体４００と、管理サーバと通信可能に遊技場１００内に設置され、無線により遊技者の所持する会員携帯媒体４００のＩＣタグ４０１と通信し、該通信により読取ったＩＣタグ４０１の固有識別情報を管理サーバに送信するＩＣタグ読取装置１１０と、を備え、管理サーバは、会員登録時に会員登録情報として、遊技者の希望する希望遊技情報と、当該遊技者所有の携帯端末３００の電子メールアドレスと、会員携帯媒体４００のＩＣタグ４０１の固有識別情報とを互いに対応させて会員情報データベースに登録する会員登録手段（管理装置１２０、会員情報登録装置１０９）と、ＩＣタグ読取装置１１０により送信された固有識別情報に対応する会員登録情報を会員情報データベースから抽出する登録情報抽出手段（管理装置１２０）と、登録情報抽出手段により抽出された会員登録情報に含まれる希望遊技情報に対応する遊技情報を遊技情報データベースから抽出する遊技情報抽出手段（管理装置１２０）と、登録情報抽出手段により抽出された会員登録情報に含まれる電子メールアドレスによって特定される携帯端末３００に、遊技情報抽出手段により抽出された遊技情報を送信する遊技情報送信手段（管理装置１２０）と、を備えている。
【００９１】
したがって、会員が所持する会員携帯媒体４００に備えられた固有識別情報が記憶されたＩＣタグ４０１を、遊技場１００に設置されたＩＣタグ読取装置１１０が無線で読み取り、管理サーバが、ＩＣタグ読取装置１１０から送信された固有識別情報に対応する会員登録情報を会員情報データベースから抽出して、その会員登録情報に含まれる希望遊技情報に対応する遊技情報を遊技情報データベースから抽出し、電子メールアドレスによって特定される携帯端末３００に送信するので、例えば、遊技者が遊技場１００へ入場するだけで希望する遊技情報を簡単に得ることができるようになる。
【００９２】
また、会員登録情報に含まれる希望遊技情報は、遊技機１０１の種類を特定するための種類特定情報であり、遊技情報抽出手段（管理装置１２０）は、種類特定情報により特定される遊技機１０１の遊技情報を抽出するようにしている。
【００９３】
したがって、会員登録情報に含まれる希望遊技情報は、遊技機１０１の種類を特定するための種類特定情報であり、遊技情報抽出手段は、種類特定情報により特定される遊技機１０１の遊技情報を抽出するので、遊技者が遊技をしたいと希望する機種の遊技情報が簡単に得られるので、遊技機１０１の設置箇所に到達する前に、希望する機種の中のどの遊技機で遊技をするかを決定することができる。
【００９４】
また、登録情報抽出手段（管理装置１２０）は、ＩＣタグ読取装置１１０からの一の固有識別情報の受信により、当該固有識別情報を受信履歴情報として記憶する固有識別情報記憶手段（管理装置１２０）と、遊技者に再度の遊技情報を送信すべく、受信履歴情報として記憶された固有識別情報のうち予め定められた所定条件が成立した固有識別情報に対応する会員登録情報を会員情報データベースから抽出する登録情報再抽出手段（管理装置１２０）を含んでいる。
【００９５】
したがって、登録情報抽出手段は、ＩＣタグ読取装置１１０からの一の固有識別情報の受信により、当該固有識別情報を受信履歴情報として記憶する固有識別情報記憶手段と、遊技者に再度の遊技情報を送信すべく、受信履歴情報として記憶された固有識別情報のうち予め定められた所定条件が成立した固有識別情報に対応する会員登録情報を会員情報データベースから抽出する登録情報再抽出手段を含むので、例えば、遊技場１００内にいる遊技者が、特別の操作をすることなく、所定時間毎にリアルタイムな遊技情報を簡単に得ることができる。
【００９６】
また、ＩＣタグ読取装置１１０は、遊技場１００の出入口に設置され、固有識別情報記憶手段（管理装置１２０）は、受信履歴情報として記憶した固有識別情報と同一の固有識別情報をＩＣタグ読取装置１１０から受信することにより、当該受信履歴情報から受信した固有識別情報を消去する履歴消去手段（管理装置１２０）を含んでいる。
【００９７】
したがって、ＩＣタグ読取装置１１０は、遊技場１００の出入口に設置されているので、遊技者が遊技場１００へ入場するだけで希望する機種のリアルタイムな遊技情報を得ることができる。また、固有識別情報記憶手段は、受信履歴情報として記憶した固有識別情報と同一の固有識別情報をＩＣタグ読取装置から受信することにより、当該受信履歴情報から受信した固有識別情報を消去する履歴消去手段を含むので、遊技者が退場した際には受信履歴情報が消去されるので、遊技情報の送信が停止される。すなわち、必要なとき（遊技場１００にいる間）にだけ遊技情報を得ることができる。
【００９８】
また、遊技場１００は、複数種類の遊技機１０１が設置される複数の遊技コーナー１３１，１３２，１３３，１３４により構成され、ＩＣタグ読取装置１１０は、各遊技コーナー１３１，１３２，１３３，１３４の出入口に各々設置され、管理サーバ（管理装置１２０）は、遊技コーナー１３１，１３２，１３３，１３４毎に設置されている遊技機１０１の種類を記憶してなり、各遊技コーナー１３１，１３２，１３３，１３４に設置されたＩＣタグ読取装置１１０から送信される固有識別情報に基づいて、遊技場１００内での遊技者の所在を特定する所在特定手段（管理装置１２０）と、を備え、固有識別情報記憶手段（管理装置１２０）は、所在特定手段により特定された遊技者の所在情報を、記憶してある固有識別情報に対応させて記憶し、遊技情報抽出手段（管理装置１２０）は、所在情報と会員登録情報とに基づいて、所在情報から特定される遊技機１０１の種類と種類特定情報とが一致しない場合に、遊技情報を抽出するようにしている。
【００９９】
したがって、遊技場１００は、複数種類の遊技機１０１が設置される複数の遊技コーナー１３１，１３２，１３３，１３４により構成され、ＩＣタグ読取装置１１０は、各遊技コーナー１３１，１３２，１３３，１３４の出入口に各々設置され、管理サーバ（管理装置１２０）は、遊技コーナー１３１，１３２，１３３，１３４毎に設置されている遊技機１０１の種類を記憶してなり、各遊技コーナー１３１，１３２，１３３，１３４に設置されたＩＣタグ読取装置１１０から送信される固有識別情報に基づいて、遊技場１００内での遊技者の所在を特定する所在特定手段と、を備え、固有識別情報記憶手段は、所在特定手段により特定された遊技者の所在情報を、記憶してある固有識別情報に対応させて記憶し、遊技情報抽出手段は、所在情報と会員登録情報とに基づいて、所在情報から特定される遊技機１０１の種類と種類特定情報とが一致しない場合に、遊技情報を抽出するので、遊技者が必要な場合にのみ遊技情報を得ることができる。
【０１００】
すなわち、遊技者が希望する機種が設置された場所にいない場合に遊技情報が送信されるので、遊技者が必要な場合にのみ遊技情報を得ることができる。特に、希望機種情報として遊技機１０１の遊技空き状態を送信するようにすれば、希望する遊技機１０１が設置される場所にいなくても、空いている遊技機１０１があるかどうかが分かる。
また、遊技者が希望する機種で遊技をしていた場合には、その遊技情報は特に必要がないため、遊技情報が送信されるとなると遊技者にとって大変煩わしいが、所在情報から特定される遊技機１０１の種類と種類特定情報とが一致する場合には遊技情報を抽出しないことで遊技者に遊技情報が送信されないようにするため、遊技者が煩わしく思うことがない。
【０１０１】
また、会員登録手段（管理装置１２０、会員情報登録装置１０９）は、希望遊技情報として複数種類の種類特定情報を登録可能であり、遊技情報抽出手段（管理装置１２０）は、所在情報と会員登録情報とに基づいて、所在情報から特定される遊技機１０１の種類と異なる種類特定情報が会員登録情報に含まれている場合には、当該異なる種類特定情報のみを抽出するようにしている。
【０１０２】
したがって、会員登録手段は、希望遊技情報として複数種類の種類特定情報を登録可能であり、遊技情報抽出手段は、所在情報と会員登録情報とに基づいて、所在情報から特定される遊技機１０１の種類と異なる種類特定情報が会員登録情報に含まれている場合には、当該異なる種類特定情報のみを抽出するので、希望遊技情報が複数設定されている場合には、遊技者が欲しい情報だけが送信されるので、欲しくない情報と併せて送信される場合に比べて遊技情報を確認するのが簡単であり、効率的である。
【０１０３】
また、管理サーバ（管理装置１２０）は、会員登録した遊技者所有の携帯端末３００から通信回線を介してアクセス可能であり、携帯端末３００からのアクセスと操作に基づいて、会員登録情報の変更を受付ける登録情報変更受付手段（管理装置１２０）を備えている。
【０１０４】
したがって、管理サーバは、会員登録した遊技者所有の携帯端末３００から通信回線を介してアクセス可能であり、携帯端末３００からのアクセスと操作に基づいて、会員登録情報の変更を受付ける登録情報変更受付手段を備えているので、簡単に希望遊技情報を変更することができ、その時、その日に欲しい機種の遊技情報のみを得ることができる。
【０１０５】
なお、本発明の情報提供システムは、遊技機１０１として、前記実施の形態に示されるようなパチンコ遊技機に限られるものではなく、例えば、その他のパチンコ遊技機、アレンジボール遊技機、雀球遊技機、パチスロ遊技機など、全ての遊技機１０１を用いることができる。
【０１０６】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０７】
【図１】本発明を適用した一実施の形態の構成を示す情報提供システムを示すブロック図である。
【図２】島設備に配される遊技機と球貸機の正面図と、出力される信号の種類を説明する図である。
【図３】管理装置のブロック図である。
【図４】会員情報データベースの内容の一部を示す図である。
【図５】会員携帯媒体を示す図であって、（ａ）会員カード、（ｂ）ストラップである。
【図６】情報提供システムの概要を説明するためのブロック図である。
【図７】登録情報変更受付手段により変更を行う際の携帯端末の画像表示を説明する図である。
【図８】遊技情報送信処理を説明するためのフローチャートである。
【図９】第１変形例にかかる情報提供システムにおける遊技情報送信処理を説明するためのフローチャートである。
【図１０】第２変形例にかかる情報提供システムの遊技場における配置を説明するための図である。
【図１１】第２変形例にかかる情報提供システムの遊技情報送信処理を説明するためのフローチャートである。
【図１２】第２変形例にかかる情報提供システムにおけるデータベースの内容の一部を示す図であって、（ａ）送信リストの内容の一部を示す図、（ｂ）配置機種リストの内容を示す図である。
【符号の説明】
【０１０８】
１００  遊技場
１０１  遊技機
１０９  会員情報登録装置（会員登録手段、管理サーバ）
１１０  ＩＣタグ読取装置
１２０  管理装置（管理サーバ、会員登録手段、登録情報抽出手段、遊技情報抽出手段、遊技情報送信手段、固有識別情報記憶手段、登録情報再抽出手段、履歴消去手段、所在特定手段、登録情報変更受付手段）
１３１  第１遊技コーナー（遊技コーナー）
１３２  第２遊技コーナー（遊技コーナー）
１３３  第３遊技コーナー（遊技コーナー）
１３４  第４遊技コーナー（遊技コーナー）
３００  携帯端末
４００  会員携帯媒体
４０１  ＩＣタグ
【図１】
2008178580.tif 000003
【図２】
2008178580.tif 000004
【図３】
2008178580.tif 000005
【図４】
2008178580.tif 000006
【図５】
2008178580.tif 000007
【図６】
2008178580.tif 000008
【図７】
2008178580.tif 000009
【図８】
2008178580.tif 000010
【図９】
2008178580.tif 000011
【図１０】
2008178580.tif 000012
【図１１】
2008178580.tif 000013
【図１２】
2008178580.tif 000014